(57)【要約】
【課題】  自己発電式懐中電灯の提供。
【解決手段】  収容溝を具えたケースと、一端にプルリングが接続された手引き発電線を具えて該収容溝内に収容される発電機セットと、発光体、制御スイッチ及び制御回路を具え、少なくとも一つの送電電線で該発電機セットに接続されたランプセットとを具え、以上の各部品が接続されて、発電機セットが該収容溝内に組み付けられ、且つ該プルリングが該ケース外に係止され、プルリングが引っ張られる時、該手引き発電線が牽引され、これにより発電機セットが駆動されて電力を発生し、且つ該電力が該送電電線により該ランプセットに接続されて発光体を発光させるよう形成されている。
【選択図】        図３
0003101316.tif 000002
【実用新案登録請求の範囲】
【請求項１】
ケース、発電機セット、ランプセットを具え、該ケースは収容溝を具え、該発電機セットは一端にプルリングが接続された手引き発電線を具えて該収容溝内に収容され、該ランプセットは発光体、制御スイッチ及び制御回路を具え、該ランプセットは少なくとも一つの送電電線で該発電機セットに接続され、以上の各部品が接続されて、発電機セットが該収容溝内に組み付けられ、且つ該プルリングが該ケース外に係止され、プルリングが引っ張られる時、該手引き発電線が牽引され、これにより発電機セットが駆動されて電力を発生し、且つ該電力が該送電電線により該ランプセットに接続されて発光体を発光させるよう形成されたことを特徴とする、自己発電式懐中電灯。
【請求項２】
請求項１記載の自己発電式懐中電灯において、ケースが第１ケースと第２ケースで組成されたことを特徴とする、自己発電式懐中電灯。
【請求項３】
請求項１記載の自己発電式懐中電灯において、ケースに制御スイッチ孔、ランプカバー及び握持部が設けられたことを特徴とする、自己発電式懐中電灯。
【請求項４】
請求項２記載の自己発電式懐中電灯において、第２ケースに部品挟持アームが設けられたことを特徴とする、自己発電式懐中電灯。
【請求項５】
請求項３記載の自己発電式懐中電灯において、ランプカバーにリフレクタが設けられたことを特徴とする、自己発電式懐中電灯。
【請求項６】
請求項１記載の自己発電式懐中電灯において、発電機セットが、発電器、フライホイール、伝動軸、中継ラチェット、第１発電ケース、第２発電ケース及び主動輪で構成されたことを特徴とする、自己発電式懐中電灯。
【請求項７】
請求項６記載の自己発電式懐中電灯において、発電器に一カ所以上の電源接点が設けられて送電電線により制御回路に接続されたことを特徴とする、自己発電式懐中電灯。
【請求項８】
請求項１記載の自己発電式懐中電灯において、発光体がＬＥＤで構成されたことを特徴とする、自己発電式懐中電灯。
【請求項９】
請求項１記載の自己発電式懐中電灯において、制御回路が整流ユニット、エネルギー保存ユニット、ろ波ユニット及び電圧安定ユニットを具えたことを特徴とする、自己発電式懐中電灯。
【請求項１０】
請求項９記載の自己発電式懐中電灯において、エネルギー保存ユニットが高容量電気二重層コンデンサで構成されたことを特徴とする、自己発電式懐中電灯。
【考案の詳細な説明】
【技術分野】
【０００１】
本考案は一種の自己発電式懐中電灯に係り、特に、照明に運用される懐中電灯に運用され、並びに運動エネルギーを電気エネルギーに変換する原理を運用し、電池或いは電源を使用しない状況で、自己発電して照明機能を発生するものに関する。
【背景技術】
【０００２】
図１及び図２には周知の懐中電灯の斜視図及び分解斜視図である。これらの図に示されるように、一般に周知の懐中電灯Ａ１は、カバーＡ２、レンズＡ３、リフレクタＡ４、バルブＡ５、ケースＡ６、少なくとも一つの電池Ａ７及び底蓋Ａ８で組成され、ならびに該電池Ａ７が提供する電源がバルブＡ５の照明時に必要な電力を供給し、電池Ａ７の電力がなくなると、電池Ａ７を交換しなければバルブＡ５に照明機能を発揮させられなくなり、全体の懐中電灯Ａ１がその主要な機能を失った。
【考案の開示】
【考案が解決しようとする課題】
【０００３】
本考案の解決しようとする技術問題は以下のとおりである。
１．懐中電灯使用時に電池を使用しなければならなかった問題。
２．懐中電灯が基本的な発電原理、教育教材を提供できなかった問題。
３．懐中電灯の電池を長期保存できない問題。
４．懐中電灯の電池が湿気のある環境に耐えられない問題。
５．懐中電灯の電池の使用完了時に破棄することによる環境保護問題。
６．懐中電灯を経常的に使用する時の電池購入のコストの問題。
７．充電電池を使用するとエネルギー資源を消耗する問題。
８．電池の使用寿命が短い問題。
【０００４】
問題を解決するための本考案の採用する技術手段は以下のとおりである。
１．発電機セットと高容量コンデンサを利用し、引っ張る操作により照明可能とし、電池の取り付け不要とする。
２．自己発電の機構と分離式の組合せ機能を具備させて、教育の価値を具備するようにした。
３．発電機セットの発生する電源を利用することで外部電力不要とした。
４．電池使用不要とし、湿気のある環境に耐えられるようにした。
５．発電機セットにより必要な電源を発生し、電池破棄による環境保護問題を無くした。
６．自己発電の機能を具備させて電池購入のコスト問題を無くした。
７．エネルギー資源を使用する必要を無くした。
８．重複使用可能として、全体の使用寿命を長くした。
【課題を解決するための手段】
【０００５】
請求項１の考案は、ケース、発電機セット、ランプセットを具え、該ケースは収容溝を具え、該発電機セットは一端にプルリングが接続された手引き発電線を具えて該収容溝内に収容され、該ランプセットは発光体、制御スイッチ及び制御回路を具え、該ランプセットは少なくとも一つの送電電線で該発電機セットに接続され、以上の各部品が接続されて、発電機セットが該収容溝内に組み付けられ、且つ該プルリングが該ケース外に係止され、プルリングが引っ張られる時、該手引き発電線が牽引され、これにより発電機セットが駆動されて電力を発生し、且つ該電力が該送電電線により該ランプセットに接続されて発光体を発光させるよう形成されたことを特徴とする、自己発電式懐中電灯としている。
請求項２の考案は、請求項１記載の自己発電式懐中電灯において、ケースが第１ケースと第２ケースで組成されたことを特徴とする、自己発電式懐中電灯としている。
請求項３の考案は、請求項１記載の自己発電式懐中電灯において、ケースに制御スイッチ孔、ランプカバー及び握持部が設けられたことを特徴とする、自己発電式懐中電灯としている。
請求項４の考案は、請求項２記載の自己発電式懐中電灯において、第２ケースに部品挟持アームが設けられたことを特徴とする、自己発電式懐中電灯としている。
請求項５の考案は、請求項３記載の自己発電式懐中電灯において、ランプカバーにリフレクタが設けられたことを特徴とする、自己発電式懐中電灯としている。
請求項６の考案は、請求項１記載の自己発電式懐中電灯において、発電機セットが、発電器、フライホイール、伝動軸、中継ラチェット、第１発電ケース、第２発電ケース及び主動輪で構成されたことを特徴とする、自己発電式懐中電灯としている。
請求項７の考案は、請求項６記載の自己発電式懐中電灯において、発電器に一カ所以上の電源接点が設けられて送電電線により制御回路に接続されたことを特徴とする、自己発電式懐中電灯としている。
請求項８の考案は、請求項１記載の自己発電式懐中電灯において、発光体がＬＥＤで構成されたことを特徴とする、自己発電式懐中電灯としている。
請求項９の考案は、請求項１記載の自己発電式懐中電灯において、制御回路が整流ユニット、エネルギー保存ユニット、ろ波ユニット及び電圧安定ユニットを具えたことを特徴とする、自己発電式懐中電灯としている。
請求項１０の考案は、請求項９記載の自己発電式懐中電灯において、エネルギー保存ユニットが高容量電気二重層コンデンサで構成されたことを特徴とする、自己発電式懐中電灯としている。
【考案の効果】
【０００６】
従来の技術と較べた本考案の機能は以下のとおりである。
１．緊急照明が必要な時、電池を探したり電池電力不足の問題がない。
２．基本発電原理の教育上の器材提供が難しい問題を解決する。
３．電池を長期に保存できない問題を解決する。
４．懐中電灯の電池が湿気のある環境に耐えられない問題を解決する。
５．電池使用不要で、ゆえに電池使用完了後に破棄することにより発生する環境保護問題がない。
６．経常的に懐中電灯を使用する状況で、使用者の購入コストを増さない。
７．直接エネルギー資源の問題を解決する。
８．電池使用不要であるため、使用寿命が短い問題がない。
【考案を実施するための最良の形態】
【０００７】
図３から図５の本考案の外観立体図、分解構造図、及び局部立体詳図に
に示されるように、本考案の自己発電式懐中電灯１０は、ケース２０、発電機セット３０、ランプセット４０を少なくとも具え、且つ該ケース２０に収容溝２３が設けられ、該発電機セット３０は手引き発電線３１を具え、該手引き発電線３１の一端にプルリング３１１が接続され、且つ該発電機セット３０は該収容溝２３内に取り付けられ、該ランプセット４０は発光体４１、制御スイッチ４２、及び制御回路４３を具え、且つ該ランプセット４０は少なくとも一つの送電電線４４を利用して発電機セット３０と接続され、ゆえに、発電機セット３０が該収容溝２３内に取り付けられ、且つ該プルリング３１１が該ケース２０外に係止され、プルリング３１１が引っ張られる時、該手引き発電線３１が牽引され、これにより発電機セット３０が駆動されて電力を発生し、且つ該電力が該送電電線４４で該ランプセット４０に接続されて該発光体４１を発光させる。前述の発光体４１はＬＥＤ４１１で構成されるか、或いはバルブ４１２で構成される。
【０００８】
図３に示されるように、本考案の自己発電式懐中電灯１０のケース２０には更に制御スイッチ孔２４が設けられ、該ケース２０の一端にランプカバー２５が設けられ、且つもう一端に握持部２６が設けられている。該ケース２０は第１ケース２１と第２ケース２２で組成されている。前述のランプカバー２５はリフレクタ２５１を具え、これにより発光体４１の発射する光の拡光照明効果を増すことができる。
【０００９】
図９に示される本考案の自己発電式懐中電灯１０の実施例によると、前述の第１ケース２１に更に部品溝蓋２７が設けられ、且つ部品溝蓋２７が開かれた後に、部品挟持アーム２２１が見えるが、この部品挟持アーム２２１は第２ケース２２に取り付けられている。
【００１０】
図６は本考案の自己発電式懐中電灯１０の局部立体分解詳図であり、発電機セット３０を詳細に描いたものである。発電機セット３０の構成要件は、発電器３２、フライホイール３３、伝動軸３４、中継ラチェット３５、第１発電ケース３６、第２発電ケース３７、及び主動輪３８からなる。
【００１１】
図４、５も共に参照されたい。前述の発電器３２は更に一カ所以上の電源接点３２１を具え、並びに該電源接点３２１に該送電電線４４が接続され、更に該送電電線４４と該ランプセット４０の制御回路４３が接続されている。
【００１２】
図１０は本考案の電気回路ブロック図であり、本考案の該制御回路４３とその他の部品間の接続関係を示している。前述の本考案の制御回路４３は、整流ユニット４３１、エネルギー保存ユニット４３２、ろ波ユニット４３３、及び電圧安定ユニット４３４を具え、且つ前述したように、該送電電線４４は該制御回路４３と該発電機セット３０に接続され、且つ該発電機セット３０の発生する電気エネルギーは該送電電線４４により該制御回路４３の整流ユニット４３１に接続され、並びにさらにろ波ユニット４３３を介して電気エネルギーがエネルギー保存ユニット４３２に保存され、最後に該発光体４１に伝送される。該発光体４１は少なくとも一つのＬＥＤ４１１で構成されるか、少なくとも一つのバルブ４１２で構成される。前述のエネルギー保存ユニット４３２はコンデンサ４３５で構成されるか、或いは高容量電気二重層コンデンサ４３６で構成される。
【００１３】
図７は本考案の実施例図である。本考案を使用する時、本考案の握持部２６を握持し、さらに制御スイッチ４２を押すと、本考案の照明機能を起動させることができる。
【００１４】
図４と図８を参照されたい。図８は本考案の別の実施例図であり、本考案の充電方式を説明する図である。プルリング３１１を引っ張ると、プルリング３１１に手引き発電線３１が牽引され、並びに手引き発電線３１を介して発電機セット３０が駆動され、該発電機セット３０は運動エネルギーの入力を受けた後、この運動エネルギーを電気エネルギーに変換し、ゆえに発光体４１に十分な電気量を具備させて照明の機能を発生させることができる。最良の実施例においては、一つのＬＥＤ４１１を使用し、並びに高容量電気二重層コンデンサ４３６を組み合わせ、プルリング３１１が引っ張られた後に、約５分間の照明効果を実施できる。
【００１５】
図１１は本考案のフローチャートであり、本考案の全体の操作と運動エネルギー変換の過程を示す。図示されるように、本考案の操作フローは、（７０）運動エネルギー入力、（７１）運動エネルギー変換、（７２）整流、（７３）電圧安定化、（７４）ろ波、（７５）保存、（７６）電気エネルギー消耗のステップからなる。
【００１６】
図１２と図１３及び図１０、図１１、図１２を共に参照されたい。これら本考案の充電を示す図であり、これらの図に、制御回路４３内で実施されるエネルギー保存ユニット４３２の運転の状況、即ち（７５）運動エネルギー保存の状況が示される。電気エネルギーがエネルギー保存ユニット４３２に入力される時、プラスの電気５０はプラス電極５１に移動し、且つマイナスの電気６０はマイナス電極６１に移動する。前述のエネルギー保存ユニット４３２はコンデンサ４３５或いは高容量電気二重層コンデンサ４３６で構成される。
【００１７】
綜合すると、本考案の自己発電式懐中電灯１０は自己発電機能を具えた懐中電灯であり、自己発電の効果により、その運用範囲は相当に広く、また構造が簡単で、自由に実験課程中の教育工具として運用され、或いは本考案は部品分装方式で消費者に販売され、消費者が自分で組み立てる楽しみを味わうことができ、ゆえに実用性が倍増され且つ生産コストも考慮され、使用者の購入費用も大幅に減らされ、大量生産に適し、産業上の利用価値を有し、実用新案登録の要件を具備している。さらに本考案の自己発電式懐中電灯を従来の技術と比較すると、相当大きな進歩を有し、ゆえに本考案は進歩性を有している。且つ本考案に記載の構造はその出願前に頒布された刊行物に記載がなくまた公開使用されていないため、新規性を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】周知の技術の外観立体図である。
【図２】周知の技術の分解構造図である。
【図３】本考案の外観立体図である。
【図４】本考案の分解構造図である。
【図５】本考案の局部立体詳図である。
【図６】本考案の局部立体分解詳図である。
【図７】本考案の実施例図である。
【図８】本考案の別の実施例図である。
【図９】本考案のさらに別の実施例図である。
【図１０】本考案の電気回路ブロック図である。
【図１１】本考案のフローチャートである。
【図１２】本考案の充電表示図である。
【図１３】本考案の電気回路図である。
【符号の説明】
【００１９】
Ａ１  懐中電灯
Ａ２  カバー
Ａ３  レンズ
Ａ４  リフレクタ
Ａ５  バルブ
Ａ６  ケース
Ａ７  電池
Ａ７  底蓋
１０  自己発電式懐中電灯
２０  ケース
２１  第１ケース
２２  第２ケース
２２１  部品挟持アーム
２３  収容溝
２４  制御スイッチ孔
２５  ランプカバー
２５１  リフレクタ
２６  握持部
２７  部品溝蓋
３０  発電機セット
３１  手引き発電線
３１１  プルリング
３２  発電器
３２１  電源接点
３３  フライホイール
３４  伝動軸
３５  中継ラチェット
３６  第１発電ケース
３７  第２発電ケース
３８  主動輪
４０  ランプセット
４１  発光体
４１１  ＬＥＤ
４１２  バルブ
４２  制御スイッチ
４３  制御回路
４３１  整流ユニット
４３２  エネルギー保存ユニット
４３３  ろ波ユニット
４３４  電圧安定ユニット
４３５  コンデンサ
４３６  高容量電気二重層コンデンサ
４４  送電電線
５０  プラスの電気
５１  プラス電極
６０  マイナスの電気
６１  マイナス電極
７０  運動エネルギー入力
７１  運動エネルギー変換
７２  整流
７３  電圧安定化
７４  ろ波
７５  保存
７６  電気エネルギー消耗
【図１】
0003101316.tif 000003
【図２】
0003101316.tif 000004
【図３】
0003101316.tif 000005
【図４】
0003101316.tif 000006
【図５】
0003101316.tif 000007
【図６】
0003101316.tif 000008
【図７】
0003101316.tif 000009
【図８】
0003101316.tif 000010
【図９】
0003101316.tif 000011
【図１０】
0003101316.tif 000012
【図１１】
0003101316.tif 000013
【図１２】
0003101316.tif 000014
【図１３】
0003101316.tif 000015